(57)【要約】【課題】柄部に中空部を設けた構造により、操作時の軽さと円滑さを向上することができ、水中での浮力を備えた手工具を提供すること。【解決手段】工具棒体１０と柄部２０とからなる。工具棒体１０の基端部分は、柄部２０の内部に挿入されて該柄部２０によって包覆された挿入接続部１２とされ、工具棒体１０の柄部２０から外部に露出された先端部分がドライバー部１１とされる。柄部２０は、その内部に外部に対して完全密閉された中空部２２が形成されると共に中空部２２に空気が充填され、中空部２２により水面に浮く浮力が与えられる。【選択図】図２
0003132389.tif 000002
【実用新案登録請求の範囲】
【請求項１】
工具棒体と柄部とからなり、前記工具棒体の基端部分は、前記柄部の内部に挿入されて該柄部によって包覆された挿入接続部とされ、前記工具棒体の前記柄部から外部に露出された先端部分がドライバー部とされ、前記柄部は、その内部に外部に対して完全密閉された中空部が形成されると共に前記中空部に空気が充填され、前記中空部により水面に浮く浮力が与えられることを特徴とする浮力を備えた手工具。
【請求項２】
前記柄部は、前記工具棒体と相互に接続される部分の外面に凸座部が設けられ、前記挿入接続部が前記凸座部で完全に包覆されていることを特徴とする請求項１に記載の浮力を備えた手工具。
【請求項３】
前記ドライバー部が、マイナス形、プラス形及びへクスローブのうちのいずれか１つとされていることを特徴とする請求項１に記載の浮力を備えた手工具。
【請求項４】
前記ドライバー部の先端にソケットが形成されていることを特徴とする請求項１に記載の浮力を備えた手工具。
【請求項５】
前記ドライバー部が、ラチェットレンチ、ボックスレンチ及びスパナレンチのうちのいずれか１つとされていることを特徴とする請求項１に記載の浮力を備えた手工具。
【考案の詳細な説明】
【技術分野】
【０００１】
本考案は、手工具に関し、柄部内に中空部が設けられ、手工具を水面上に浮かせて水中における修理作業に利便性を発揮する浮力を備えた手工具に関する。
【背景技術】
【０００２】
手工具は種類が多く、各種スクリュードライバー、各種スパナ及び様々なソケット等、非常に多様であり、施工箇所の必要性や違いに基づき適切な作用を発揮させる。手工具の中には柄部を備えたものが一般的であり、この柄部は大きく中実のものと中空のものの二種類に分けることができる。柄部が中実のものは単一機能の手工具である。一方、柄部に収容空間が設けられたものは、多機能の手工具であり、収容空間にその他付加機能の部材を配置したり、操作に便利な補助機能を持たせたりすることができる。例えば、視線照明や測量水平目盛等を含む装置があるが、いくつかの特殊な作業場所においては、作業地点の特殊性のために手工具の利便性及び適宜性がより重要になる。例えば、渓流や河川、海等の水中での計器のメンテナンスや機械の修理、船舶の検査メンテナンス等の作業を行なう必要がある場合、重要な手工具を遺失したり、破損したり、またはそれが水中での操作に不適合であったりすると、作業を円滑に進行させることができない。前述のような従来の手工具は、そのものの構造または設計のために重過ぎて一度水中に沈んでしまうと取り戻すことは困難である。また、収容空間内に水が浸入すると補助機能部材が破損してしまい、作業を発揮することができなくなることがあり、作業時にいろいろ気にしてメンテナンスの進度が遅れたり、修理の即時性が失われたりしてしまう。
【考案の開示】
【考案が解決しようとする課題】
【０００３】
そこで、本考案はこれに鑑みてなされたもので、その目的は、従来の水中作業に不利な手工具を代替し、且つ、柄部に中空部を設けた構造により、操作時の軽さと円滑さを向上することができる浮力を備えた手工具を提供することにある。
【課題を解決するための手段】
【０００４】
請求項１に係る浮力を備えた手工具は、上記課題を解決するために、工具棒体と柄部とからなり、前記工具棒体の基端部分は、前記柄部の内部に挿入されて該柄部によって包覆された挿入接続部とされ、前記工具棒体の前記柄部から外部に露出された先端部分がドライバー部とされ、前記柄部は、その内部に外部に対して完全密閉された中空部が形成されると共に前記中空部に空気が充填され、前記中空部により水面に浮く浮力が与えられることを特徴とする。
【０００５】
請求項２に係る浮力を備えた手工具は、請求項１に係る浮力を備えた手工具において、前記柄部は、前記工具棒体と相互に接続される部分の外面に凸座部が設けられ、前記挿入接続部が前記凸座部で完全に包覆されていることを特徴とするものである。
【０００６】
請求項３に係る浮力を備えた手工具は、請求項１に係る浮力を備えた手工具において、前記ドライバー部が、マイナス形、プラス形及びへクスローブのうちのいずれか１つとされていることを特徴とするものである。
【０００７】
請求項４に係る浮力を備えた手工具は、請求項１に係る浮力を備えた手工具において、前記ドライバー部の先端にソケットが形成されていることを特徴とするものである。また、請求項５に係る浮力を備えた手工具は、請求項１に係る浮力を備えた手工具において、前記ドライバー部が、ラチェットレンチ、ボックスレンチ及びスパナレンチのうちのいずれか１つとされていることを特徴とするものである。
【考案の効果】
【０００８】
本考案の浮力を備えた手工具によれば、工具棒体の基端部分は、柄部の内部に挿入されて該柄部によって包覆された挿入接続部とされ、工具棒体の柄部から外部に露出された先端部分がドライバー部とされ、柄部は、その内部に外部に対して完全密閉された中空部が形成されると共に中空部に空気が充填され、中空部により水面に浮く浮力が与えられる構成であるので、工具棒体と柄部とがしっかりと結合され、工具棒体の使用時に操作の応力を受けて柄部から離脱してしまうことがなく、十分な力を提供し操作を円滑に行なうことができる。
【０００９】
柄部に設けられた中空部により、手工具を水面上に浮かせることができる。このため、溪流、河川、海のどこで作業を行うにしても、手工具が水の中に沈んでしまい、拾えなくなることを心配する必要がなくなり、作業の利便性を大幅に向上することができる。柄部の中空部は密閉構造を呈するため、中空部に水が浸入する心配がなく、水に対する浮力を維持することができる。また、中空部を有することにより、全体の重量が極めて軽く、大量に工具箱内に収納して携帯した時に負担が大きくなく、且つ、材質が軽いため陸地で使用するときにも非常に便利である。
【考案を実施するための最良の形態】
【００１０】
以下、本考案の実施の形態を図面に基いて詳細に説明する。図１〜図４は、本考案の浮力を備えた手工具の第１実施形態としてのスクリュードライバーを示している。なお、図１は浮力を備えた手工具の分解斜視図であり、図２は浮力を備えた手工具の斜視図であり、図３は浮力を備えた手工具の断面図であり、図４は浮力を備えた手工具が水中で浮いた状態を示す斜視図である。
【００１１】
図１及び図２に示すように、浮力を備えた手工具１は、工具棒体１０と柄部２０とからなる。工具棒体１０の基端部分は、柄部２０の内部に挿入されて該柄部２０よって包覆された挿入接続部１２とされ、工具棒体１０の柄部２０から外部に露出された先端部分がドライバー部１１とされている。柄部２０は、その内部に外部に対して完全密閉された中空部２２が形成されると共に中空部２２に空気が充填され、中空部２２により水面に浮く浮力が与えられる構成となっている。なお、浮力を備えた手工具１は、工具棒体１０の一端に対して柄部２０が射出成型されて製造される。
【００１２】
図２に示すように、柄部２０は、工具棒体１０と相互に接続される部分の外面に凸座部２１が設けられ、工具棒体１０の挿入接続部１２が凸座部２１で完全に包覆されている。これにより、工具棒体１０と柄部２０とがしっかりと結合され、全体の耐用性を強化し、工具棒体１０が使用時に操作の応力を受けて柄部２０から脱落することがなく、使用寿命を延長することができる。
【００１３】
また、柄部２０に形成された中空部２２により、図４に示すように、溪流、河川、海のどこで作業を行うかを問わず、うっかりスクリュードライバーを水中に落としたとしても、中空部２２に充填されている空気のために手工具１が水面に浮かび上がるため、手工具１が水中に沈んでしまい、拾えなくなることを心配する必要がなくなり、大幅に作業の利便性が向上される。且つ、柄部２０は中空部２２以外その他部分がすべて中実体であり、中空部２２は柄部２０と一体成型の密閉構造を呈するため、中空部２２に水が浸入する心配がなく、浮力を維持することができる。また、柄部２０が中空構造であるために全体の重量が極めて軽く、大量に工具箱内に収納して携帯した時に、負担が大きくなく、且つ、材質が軽いため陸地で使用するときにも非常に便利である。
【００１４】
工具棒体１０のドライバー部１１は、プラス形、マイナス形とすることができるほか、図５の本考案の第２実施形態に示すように、ドライバー部１１はヘクスローブ型に形成してもよく、或いは図６の本考案の第３実施形態に示すように、工具棒体１０を短く太めに形成してもよい。また、図７の本考案の第４実施形態に示すように、工具棒体１０のドライバー部１１をソケットとしてもよく、さらにまた、工具棒体１０のドライバー部１１は、図８の本考案の第５実施形態に示すように、ラチェットレンチの形態や、ボックスレンチ、スパナレンチなどの形態とすることもできる。このため、本考案は施工箇所の必要性や違いに基づき、各種ドライバーやソケット、スパナ等を形成し、さまざまな作業のニーズに対応することができる。
【図面の簡単な説明】
【００１５】
【図１】本考案の手工具の第１実施形態に係るスクリュードライバーの分解斜視図である。
【図２】第１実施形態のスクリュードライバーを示す斜視図である。
【図３】第１実施形態のスクリュードライバーの断面図である。
【図４】浮力を備えた手工具が水中で浮いた状態を示す斜視図である。
【図５】本考案の手工具の第２実施形態を示す斜視図である。
【図６】本考案の手工具の第３実施形態を示す斜視図である。
【図７】本考案の手工具の第４実施形態を示す斜視図である。
【図８】本考案の手工具の第５実施形態を示す斜視図である。
【符号の説明】
【００１６】
１  浮力を備えた手工具
１０  工具棒体
１１  ドライバー部
１２  挿入接続部
２０  柄部
２１  凸座部
２２  中空部
【図１】
0003132389.tif 000003
【図２】
0003132389.tif 000004
【図３】
0003132389.tif 000005
【図４】
0003132389.tif 000006
【図５】
0003132389.tif 000007
【図６】
0003132389.tif 000008
【図７】
0003132389.tif 000009
【図８】
0003132389.tif 000010